(57)【要約】【課題】  筐体が従来よりも小型かつ軽量である情報表示装置を提供する。【解決手段】  情報表示装置１は、立設される支柱２と、支柱２の鉛直方向の上方部に支持部３を介して設置される筐体２１と、支柱２の鉛直方向の下方部又は地面４に設置される機器収容箱４１と、筐体２１に設置され、映像を表示する表示ユニット８１と、機器収容箱４１に収容され、交流電圧を直流電圧に変換する電圧変換部４４と、表示ユニット８１の内部に設置され、直流電圧を降圧し、表示ユニット８１に電力を供給する駆動電源８７と、を備える。【選択図】図１
2018169461.tif 000002
【特許請求の範囲】
【請求項１】
立設される支柱と、
前記支柱の鉛直方向の上方部に支持部を介して設置される筐体と、
前記支柱の鉛直方向の下方部又は地面に設置される機器収容箱と、
前記筐体に設置され、映像を表示する表示ユニットと、
前記機器収容箱に収容され、交流電圧を直流電圧に変換する電圧変換部と、
前記表示ユニットの内部に設置され、前記直流電圧を降圧し、前記表示ユニットに電力を供給する駆動電源と、
を備える情報表示装置。
【請求項２】
前記筐体は、箱形の形状である、
請求項１に記載の情報表示装置。
【請求項３】
前記筐体は、格子フレームと外枠フレームとを有する、
請求項１に記載の情報表示装置。
【請求項４】
前記表示ユニットは、防水構造である、
請求項１〜３のいずれか1項に記載の情報表示装置。
【請求項５】
前記表示ユニットは、
回路基板と、
前記回路基板に実装される複数の発光素子と、
前記回路基板を載置するユニットケースと、
前記回路基板と前記発光素子と前記ユニットケースとを覆う防水フィルムと、
を備える請求項１〜４のいずれか１項に記載の情報表示装置。
【請求項６】
前記表示ユニットは、
回路基板と、
前記回路基板に実装される複数の発光素子と、
前記回路基板を載置するユニットケースと、
前記回路基板の表面を封止する防水樹脂と、
を備える請求項１〜４のいずれか１項に記載の情報表示装置。
【請求項７】
前記機器収容箱に収容され、前記表示ユニットが備える前記発光素子の個数に合せて映像データの解像度を変換し、解像度変換後の映像データを前記表示ユニットに送信する映像制御部、
をさらに備える請求項５又は６に記載の情報表示装置。
【請求項８】
前記映像制御部は、解像度変換後の映像データを小振幅差動方式で前記表示ユニットに送信する、
請求項７に記載の情報表示装置。
【発明の詳細な説明】
【技術分野】
【０００１】
本発明は、道路情報、交通情報等を表示する情報表示装置に関する。
【背景技術】
【０００２】
従来の道路情報等を表示する情報表示装置は、映像を表示する表示ユニット、表示ユニットを制御する制御部、商用電源の電圧を変換する電圧変換部等を備え、これらの機器は全て、地面に立設された支柱の上方部に設置された筐体の内部に設けられている。
【０００３】
また、特許文献１には、保守点検作業者が筐体まで登るために支柱に設置された梯子と、筐体の内部に入るためにその側面に設けられた扉が記載されている。つまり、上記機器の保守点検作業は、保守点検作業者が筐体の内部に入ることにより、実施されている。
【先行技術文献】
【特許文献】
【０００４】
【特許文献１】特開２０００−２５０４２９号公報
【発明の概要】
【発明が解決しようとする課題】
【０００５】
しかしながら、このような情報表示装置の筐体は、変圧器を有し重量が大きい電圧変換部を支えるため強度を確保しなければならず、また保守点検作業者の作業スペースを確保するため内部を広くしなければならない。したがって、情報表示装置の筐体は、重量が大きく、かつ、大型なものとなってしまい、現地据付作業で大型の重機が必要になるという課題があった。
【０００６】
本発明は上述の課題を解決するためになされたもので、筐体が従来よりも軽量かつ小型である情報表示装置を提供することを目的とする。
【課題を解決するための手段】
【０００７】
本発明に係る情報表示装置は、立設される支柱と、支柱の鉛直方向の上方部に支持部を介して設置される筐体と、支柱の鉛直方向の下方部又は地面に設置される機器収容箱と、筐体に設置され、映像を表示する表示ユニットと、機器収容箱に収容され、交流電圧を直流電圧に変換する電圧変換部と、表示ユニットの内部に設置され、直流電圧を降圧し、表示ユニットに電力を供給する駆動電源と、を備える。
【発明の効果】
【０００８】
本発明によれば、現地据付作業で大型の重機を必要とせず、筐体が従来よりも軽量かつ小型である情報表示装置を提供することができる。
【図面の簡単な説明】
【０００９】
【図１】本発明の実施の形態１に係る情報表示装置の斜視図である。
【図２】本発明の実施の形態１に係る情報表示装置の正面図である。
【図３】本発明の実施の形態１に係る情報表示装置の側面図である。
【図４】本発明の実施の形態１に係る筐体の側面図である。
【図５】本発明の実施の形態１に係る表示ユニットの正面図である。
【図６】図５の表示ユニットをＡ−Ａ線で矢視した断面図である。
【図７】図５の表示ユニットをＢ−Ｂ線で矢視した断面図である。
【図８】本発明の実施の形態１に係る表示ユニットの背面図である。
【図９】本発明の実施の形態１に係るユニットケースの斜視図である。
【図１０】本発明の実施の形態１に係る情報表示装置のブロック図である。
【図１１】本発明の実施の形態２に係る情報表示装置の正面図である。
【図１２】図６の断面図に相当する、本発明の実施の形態３の表示ユニットの断面図である。
【図１３】図７の断面図に相当する、本発明の実施の形態３の表示ユニットの断面図である。
【図１４】本発明の実施の形態４に係る筐体と表示ユニットの斜視図である。
【図１５】本発明の実施の形態４に係る筐体の斜視図である。
【図１６】本発明の実施の形態４に係る縦フレームの斜視図である。
【図１７】本発明の実施の形態４に係る横フレームの斜視図である。
【発明を実施するための形態】
【００１０】
以下、本発明の実施の形態に係る情報表示装置について、図面を参照して説明する。
なお、理解を容易にするために、情報表示装置が道路近傍に情報表示装置の正面が地面に対して垂直に設置されたと仮定し、地面と情報表示装置の正面とに平行な方向をＸ軸方向、地面に対して垂直な方向をＹ軸方向、Ｘ軸方向とＹ軸方向に垂直な方向をＺ軸方向として、説明する。これらの軸方向の規定は全ての実施の形態において同様である。
また、各図面中においては、同一又は同等の部分に同一の符号を付している。
【００１１】
実施の形態１．
図１〜図１０を参照して、本発明の実施の形態１に係る情報表示装置１について説明する。
先ず、情報表示装置１の構成について説明する。
情報表示装置１は、図１〜図３に示すように、地面４に立設される支柱２と、支柱２の鉛直方向の上方部に設置される２本の支持部３と、支柱２の鉛直方向の上方部に支持部３を介して設置される筐体２１と、支柱２の鉛直方向の下方部に設置される機器収容箱４２と、筐体２１に設置されて映像を表示する４つの表示ユニット８１と、を備える。情報表示装置１は、屋外の道路近傍に設置され、道路を通行する車両の運転手に道路情報、交通情報等を表示する。
【００１２】
支柱２は、道路近傍の地面４にほぼ鉛直に（Y軸方向にほぼ平行に）立設される。支柱２は、柱状の形状をなし、鉄、ステンレス鋼、アルミニウム等の金属から作製される。
【００１３】
支持部３は、支柱２の鉛直方向の上方部に、支柱２にほぼ垂直に（X軸方向にほぼ平行に）設置される。支持部３は、筐体２１を支持する部位である。支持部３は、柱状の形状をなし、鉄、ステンレス鋼、アルミニウム等の金属から作製される。
【００１４】
筐体２１は、図４に示すように、箱形の形状をなし、映像を表示する表示ユニット８１を設置するために、Ｚ軸方向の正面側の面に開口２０１が形成される。箱形は一般に多用される形状であるため、筐体２１を安いコストで作製することができる。後述するように、筐体２１に設置する表示ユニット８１は防水構造をなすため、筐体２１は複雑な構造となる防水構造にする必要はない。筐体２１は、鉄、ステンレス鋼、アルミニウム等の金属から作製される。
【００１５】
機器収容箱４２は、箱形の形状をなす。機器収容箱４２は、後述するように、映像制御部４３や電圧変換部４４を収容するが、これらを雨水等から保護するため、防水構造をなす。機器収容箱４２は、鉄、ステンレス鋼、アルミニウム等の金属から作製される。
【００１６】
表示ユニット８１の構成について説明する。
表示ユニット８１は、図５〜図８に示すように、回路基板８２と、回路基板８２の表面に実装される複数の発光素子１０１と、回路基板８２を載置するユニットケース８３と、回路基板８２の表面と複数の発光素子１０１とユニットケース８３とを覆う防水フィルム８４と、を備える。
【００１７】
回路基板８２は、発光素子１０１に電力を供給する、図示しない配線を備える。回路基板８２は、絶縁性の樹脂材料から作製される。
【００１８】
発光素子１０１は、例えば、３ｉｎ１型の表面実装型発光ダイオード（ＬＥＤ：Ｌｉｇｈｔ  Ｅｍｉｔｔｉｎｇ  Ｄｉｏｄｅ）素子である。発光素子１０１は、回路基板８２の表面に、４行×５列に配列して実装される。発光素子１０１は、平坦な上面１０４に光を出射する光出射面１０３を有する。なお、発光素子１０１において、表示ユニット８１の正面側に配置される面を発光素子１０１の上面１０４とし、回路基板８２の表面に垂直な面を発光素子１０１の側面３０１とする。
【００１９】
発光素子１０１は、３つの図示しない発光チップと、発光チップが実装されるパッケージ１０５と、発光チップをパッケージ１０５内に封止する封止部１０６と、各発光チップに電力を供給する６つの電極１０２と、を備える。
【００２０】
３つの発光チップは、それぞれ、赤色光、緑色光、青色光を発光する。３つの発光チップの発光強度は、発光チップのそれぞれに回路基板８２の配線を介して、後述する駆動電源８７から供給される電力によって、独立に調整される。これにより、発光素子１０１から、任意の色の光が任意の強度で出射される。その結果、複数の発光素子１０１によって、表示ユニット８１にカラー映像が表示される。
【００２１】
パッケージ１０５は、例えば、白色の樹脂から作製される。パッケージ１０５の凹部に、発光チップが実装される。封止部１０６は、パッケージ１０５の凹部に充填された封止樹脂であり、３つの発光チップを封止する。封止樹脂は、例えば、シリコン樹脂、エポキシ樹脂、アクリル樹脂、ポリエステル樹脂等の透光性を有する樹脂である。電極１０２は、各発光チップに正極と負極の２個ずつ接続し、各発光チップに電力を供給する。電極１０２は、ハンダ付けにより、回路基板８２の配線に電気的に接続される。
【００２２】
ユニットケース８３は、図９に示すように、Ｚ軸方向の正面側の面に開口２０２が形成され、箱形の形状をなす。ユニットケース８３は、ポリカーボネート樹脂、アクリル樹脂等の樹脂から作製される。ユニットケース８３は、図６に示すように、発光素子１０１が実装された回路基板８２を、回路基板８２の表面がユニットケース８３の開口方向に向いた状態で収容する。
【００２３】
防水フィルム８４は、ポリエステル樹脂、ポリカーボネート樹脂、アクリル樹脂、オレフィン樹脂等の透光性を有する樹脂から作製される。また、防水フィルム８４は、柔軟で可撓性を有する。防水フィルム８４の厚さは、例えば５０μｍ〜５００μｍ、柔軟性と耐久性の観点から、好ましくは１５０μｍ〜３００μｍである。
【００２４】
防水フィルム８４は、図６、７に示すように、回路基板８２の表面と、発光素子１０１の上面１０４、側面３０１と、ユニットケース８３の側面３０２とに沿って設置され、回路基板８２の表面と、発光素子１０１と、ユニットケース８３とを覆う。よって、表示ユニット８１は防水構造をなし、防水フィルム８４とユニットケース８３とが、回路基板８２と、発光素子１０１と、後述する発光素子点灯制御部８５と、駆動回路８６と、駆動電源８７と、を封止する。これにより、防水フィルム８４とユニットケース８３とで、表示ユニット８１を防水することができる。防水フィルム８４を用いることにより、安価に表示ユニット８１を防水することができる。
【００２５】
以下、情報表示装置１の動作について説明する。
情報表示装置１は、図１０に示すように、さらに、支柱２に沿うように設置される配線部６１と、機器収容箱４２に収容される映像制御部４３と、機器収容箱４２に収容される電圧変換部４４と、を備える。
【００２６】
配線部６１は、映像データを伝送する映像配線６２と、電力を送電する電力配線６３と、を備える。映像配線６２や電力配線６３は、銅等の金属からなる芯線と、芯線を被覆する絶縁性樹脂から構成される。
【００２７】
表示ユニット８１は、図１０に示すように、さらに、回路基板８２の裏面に実装される発光素子点灯制御部８５と、回路基板８２の裏面に実装される駆動回路８６と、回路基板８２の裏面に実装される駆動電源８７と、を備える。
【００２８】
電力供給について説明する。
電圧変換部４４には、商用電源７２が電気的に接続される。電圧変換部４４は、図示しない変圧器を用いて、商用電源７２の交流電圧（３相２００Ｖ）を直流電圧（単相２４Ｖ）に変換する。電圧変換部４４は、変圧器を備えるため、重量が大きい。電圧変換部４４は、防水構造ではなく、防水構造をなす機器収容箱４２に収容される。
【００２９】
駆動電源８７には、電圧変換部４４が電気的に接続される。駆動電源８７は、直流電圧（単相２４Ｖ）を直流電圧（単相３Ｖ）に変換、つまり降圧する。駆動電源８７は、駆動回路８６を介して発光素子１０１に接続し、駆動回路８６がオンの時に、発光素子１０１に電力を供給する。
【００３０】
駆動電源８７は、入力する直流電圧が２４Ｖまで降圧されているため、小型にすることができる。したがって、駆動電源８７を回路基板８２の裏面に実装し、防水構造をなす表示ユニット８１の内部に収容することができる。
【００３１】
電圧変換部４４と駆動電源８７とは、長さ２ｍ程度の電力配線６３で接続される。一般に、情報表示装置は３００Ｗ程度の電力を必要とする。従来の情報表示装置のように、電圧変換部で３相２００Ｖの商用電源７２を単相５Ｖの直流電圧に変換する場合には、電力配線に６０Ａの電流を流す必要がある。したがって、必要な芯線の直径が大きくなってしまい、電力配線のコストが高くなる。一方、電圧変換部で３相２００Ｖの商用電源７２を単相４２Ｖの直流電圧に変換する場合には、電力配線に流す電流は７Ａ程度で足りる。しかし、電圧が４２Ｖと高いため絶縁性樹脂が厚くなってしまい、電力配線のコストが高くなる。そこで、本発明の実施の形態１に係る発電装置１では、電圧変換部４４で３相２００Ｖの商用電源７２を単相６Ｖ〜４１Ｖ、好ましくは２４Ｖの直流電圧に変換する。これにより、電力配線６３の直径を２〜３ｍｍ程度に抑えることができ、電力配線６３のコストを低減することができ、また電力配線６３の扱いも容易になる。
【００３２】
映像データの変換、伝送について説明する。
映像制御部４３は、外部の映像配信センター７１と、光ファイバケーブル７３で接続される。映像制御部４３は、外部の映像配信センター７１から、光ファイバケーブル７３を介して、配信された映像データを受信する。映像制御部４３は、受信した映像データの解像度、フレームレート、色座標を、表示ユニット８１の仕様に合せて変換する。例えば、映像制御部４３は、表示ユニット８１の解像度、つまり、発光素子１０１の個数に合せて、受信した映像データの解像度を変換する。これにより、表示ユニット８１に、画質に優れた映像を表示することができる。また、映像制御部４３は、防水構造ではなく、防水構造をなす機器収容箱４２に収容される。
【００３３】
発光素子点灯制御部８５は、駆動回路８６のオンオフを通して発光素子１０１の点灯を制御し、表示ユニット８１に映像を表示する。発光素子点灯制御部８５は、パルス幅変調（ＰＷＭ：Ｐｕｌｓｅ  Ｗｉｄｔｈ  Ｍｏｄｕｌａｔｉｏｎ）により駆動回路８６のオン時間を制御し、発光素子１０１の発光強度を制御する。発光素子点灯制御部８５は、ＦＰＧＡ（Ｆｉｅｌｄ−Ｐｒｏｇｒａｍｍａｂｌｅ  Ｇａｔｅ  Ａｒｒａｙ）で構成される。発光素子点灯制御部８５は、回路基板８２の裏面に実装され、防水構造をなす表示ユニット８１の内部に収容される。
【００３４】
駆動回路８６は、オンオフにより、駆動電源８７から発光素子１０１への電力供給を制御する。駆動回路８６は、ＩＣ（Ｉｎｔｅｇｒａｔｅｄ  Ｃｉｒｃｕｉｔ）等で構成される。駆動回路８６は、回路基板８２の裏面に実装されるため、表示ユニット８１により、防水される。
【００３５】
映像制御部４３と発光素子点灯制御部８５とは、長さ２ｍ程度の映像配線６２で接続される。映像配線６２は長さ２ｍ程度もあるため、伝送する映像データは電磁波ノイズの影響を受け易い。そこで、映像制御部４３は、小振幅差動方式（ＬＶＤＳ：Ｌｏｗ  Ｖｏｌｔａｇｅ  Ｄｉｆｆｅｒｅｔｉａｌ  Ｓｉｇｎａｌｉｎｇ）で映像データを送信する。ＬＶＤＳは、相互に逆位相の映像データが２本の映像配線６２を同時に伝送し、電磁波ノイズの影響が打ち消されるため、映像配線６２が長さ２ｍ程度の場合でも、電磁波ノイズの影響を受けず、映像データを正確に伝送することができる。
【００３６】
以上で説明した本発明の実施の形態１に係る情報表示装置１は、以下の効果を奏する。
筐体２１には、表示ユニット８１が設置される。一方、変圧器を備えるため重量が大きい電圧変換部４４は、機器収容箱４２に収容される。したがって、筐体２１に求められる強度が抑えられるため、筐体２１を軽量にすることができる。
【００３７】
また、保守点検作業の頻度が高い映像制御部４３や電圧変換部４４は、機器収容箱４２に収容される。その機器収容箱４２は、支柱２の鉛直方向の下方部に設置される。したがって、保守点検作業者は、従来のように支柱に設置された梯子を登り筐体の内部に入って保守点検作業をする必要がなく、地上にいるまま保守点検作業を行うことができる。これにより、筐体２１を小型にすることができる。
【００３８】
さらに、筐体２１に設置される表示ユニット８１は、防水構造をなす。一方、防水構造でない映像制御部４３や電圧変換部４４は、機器収容箱４２に収容される。したがって、筐体２１は防水構造とする必要がなく、簡易な構造とすることができる。
【００３９】
加えて、映像制御部４３や電圧変換部４４の保守点検作業は地上にいるまま行うことができる。したがって、保守点検作業の際も道路を封鎖することなく、いつでも保守点検作業を行うことができる。
【００４０】
実施の形態２．
図１１を参照して、本発明の実施の形態２に係る情報表示装置１について説明する。実施の形態２に係る情報表示装置１は、機器収容箱４２を設置する位置が実施の形態１に係る情報表示装置１と相違する。
【００４１】
機器収容箱４２は、図１１に示すように、地面４に設置される。これにより、地上にいるまま保守点検作業を行うことができ、道路を封鎖する必要なく、保守点検作業を行うことができる。また、求められる支柱２の強度が小さくなり、支柱２のコストを低減することができる。
【００４２】
実施の形態３．
図１２、１３を参照して、本発明の実施の形態３に係る情報表示装置１について説明する。実施の形態３に係る情報表示装置１は、回路基板８２を封止樹脂８８で封止する点が実施の形態１に係る情報表示装置１と相違する。
【００４３】
表示ユニット８１は、図１２，１３に示すように、回路基板８２の表面と、発光素子１０１の側面３０１と、発光素子１０１の電極１０２と、を覆う防水樹脂８８を備える。
【００４４】
防水樹脂８８は、シリコン樹脂、ポリエステル樹脂、ポリカーボネート樹脂、アクリル樹脂、オレフィン樹脂等の樹脂から構成される。防水樹脂８８は、回路基板８２に実装された発光素子１０１の間に、樹脂を注入することにより形成される。
【００４５】
表示ユニット８１は防水構造をなし、防水樹脂８８とユニットケース８３とが、回路基板８２と、発光素子１０１の側面３０１と、発光素子点灯制御部８５と、駆動回路８６と、駆動電源８７と、を封止する。これにより、防水樹脂８８とユニットケース８３とで、表示ユニット８１を防水することができる。防水樹脂８８は発光素子１０１の間に注入されるため、光出射面１０３を覆って発光効率を下げることなく、表示ユニット８１を防水することができる。
【００４６】
実施の形態４．
図１４〜図１７を参照して、本発明の実施の形態４に係る情報表示装置１について説明する。実施の形態４に係る情報表示装置１は、筐体２１の構成が実施の形態１に係る情報表示装置１と相違する。
【００４７】
表示ユニット８１は、図１４に示すように、筐体２１に設置される。筐体２１は、図１５に示すように、格子フレーム２２と、外枠フレーム２３と、を備える。格子フレーム２２は、縦フレーム２４と横フレーム２５とを組み合わせて構成される。縦フレーム２４は、図１６に示すように、断面がコの字状のフレームである。縦フレーム２４は、底板２６と側板２８の一部とを切り欠いて形成した、断面がコの字状のスリット３０を有する。横フレーム２５は、図１７に示すように、断面がコの字状のフレームである。横フレーム２５は、側板２９を、側板２９の端面から底板２７の方向へ切り欠いて形成した挿入部３１を有する。縦フレーム２４と横フレーム２５は、横フレーム２５の挿入部３１を縦フレーム２４のスリット３０に嵌め込むことによって、図１５に示すように、格子フレーム２２に組み立てられる。筐体２１に設置される表示ユニット８１は、例えば、格子フレーム２２の横フレーム２５に、ネジ止めされる。外枠フレーム２３は、ネジ又は溶接によって互いに固定され、格子フレーム２２と、格子フレーム２２に設置された表示ユニット８１とを囲む。
【００４８】
情報表示装置１は、表示ユニット８１が防水性を有するため、格子フレーム２２と外枠フレーム２３からなる簡易構造の筐体２１を用いることができる。情報表示装置１は、筐体２１が簡易構造であるため軽量化でき、大型の重機を必要とせず、現地据付作業を行うことができる。また、情報表示装置１は、筐体２１が簡易構造であるため、組み立てを容易にでき、安いコストで製造することができる。
【００４９】
以上、本発明の複数の実施の形態を説明したが、本発明は、上記の実施の形態に限定されず、本発明の要旨を逸脱しない範囲で種々の変更が可能である。
【００５０】
支柱２は、地面４に立設されず、地面４に設置された構造物に設置されてもよい。支柱２は、地面４にほぼ鉛直に（Y軸方向にほぼ平行に）立設されず、斜めに立設されてもよい。支柱２は、内部に中空部を設けてもよく、そうすることで、軽量化することができる。
【００５１】
支持部３は、２本に限らず、任意の複数本であってもよい。支持部３は、支柱２に垂直に（X軸方向に平行に）設置されず、斜めに設置されてもよい。支持部３は、柱状の形状に限らず、平板状や直方体状等の形状であってもよい。支持部３は、内部に中空部を設けてもよく、そうすることで、軽量化することができる。
【００５２】
機器収容箱４２は、地中の中に設置されてもよい。これにより、求められる支柱２の強度が小さくなり、支柱２のコストを低減することができる。さらに、機器収容箱４２を地中の中に設置する場合、設置するスペースを狭小化することができる。
【００５３】
表示ユニット８１の数は、４つに限らず、筐体２１の開口２０１の大きさ、表示ユニット８１の大きさを鑑みて、任意の数の表示ユニット８１が筐体２１に設置される。
【００５４】
発光素子１０１は、ＬＥＤ素子に限らず、レーザダイオード（ＬＤ：Ｌａｓｅｒ  Ｄｉｏｄｅ）素子であってもよい。ＬＥＤ素子は、表面実装型ＬＥＤ素子に限らず、砲弾型ＬＥＤ素子であってもよい。発光素子１０１は、３ｉｎ１型に限らない。発光素子１０１は、１つのパッケージ１０５に１つの発光素子１０１が実装された単色光を出射する発光素子１０１であってもよい。発光素子１０１は、４つ以上の発光チップを備えてもよい。
【００５５】
パッケージ１０５は、白色に限られず、黒色であってもよい。黒色のパッケージ１０５を有する発光素子１０１は、外光を吸収するので、表示ユニット８１に表示される映像のコントラストを向上することができる。
【００５６】
回路基板８２に実装される発光素子１０１は、４行×５列に限らず、任意に配列される。例えば、発光素子１０１は、１２８行×１２８列又は２５６行×２５６列で回路基板８２に実装されてもよい。また、発光素子１０１は、斜方格子、六角格子、矩形格子、千鳥格子等に配列されてもよい。発光素子１０１間の間隔も、任意である。さらに、発光素子１０１が配置されないブランクスペースが、回路基板８２の実装面に設けられてもよく、そうすることで、必要な発光素子１０１の個数が少なくなり、コストを低減することができる。
【００５７】
防水フィルム８４は、熱可塑性を有することが好ましい。また、防水フィルム８４は、耐候性を有することが好ましい。さらに、防水フィルム８４は、透光性を有する色つきフィルムであってもよい。防水フィルム８４の色は、色再現性の観点から、無彩色であることが好ましい。
【００５８】
映像配線６２は、光ファイバケーブルまたはＬＡＮ（Ｌｏｃａｌ  Ａｒｅａ  Ｎｅｔｗｏｒｋ）ケーブルとしてもよい。それにより、映像制御部４３から発光素子点灯制御部８５へ、ＬＶＤＳではなく、光等に映像データを乗せて伝送することができる。
【００５９】
発光素子点灯制御部８５は、ＦＰＧＡに限らず、ＣＰＬＤ（Ｃｏｍｐｌｅｘ  Ｐｒｏｇｒａｍｍａｂｌｅ  Ｌｏｇｉｃ  Ｄｅｖｉｃｅ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等であってもよい。
【符号の説明】
【００６０】
１  情報表示装置、２  支柱、３  支持部、４  地面、２１  筐体、２２  格子フレーム、２３  外枠フレーム、２４  縦フレーム、２５  横フレーム、２６，２７  底板、２８，２９  側板、３０  スリット、３１  挿入部、４１  機器収容箱、４３  映像制御部、４４  電圧変換部、６１  配線部、６２  映像配線、６３  電力配線、７１  映像配信センター、７２  商用電源、７３  光ファイバケーブル、８１  表示ユニット、８２  回路基板、８３  ユニットケース、８４  防水フィルム、８５  発光素子点灯制御部、８６  駆動回路、８７  駆動電源、８８  防水樹脂、１０１  発光素子、１０２  電極、１０３  光出射面、１０４  上面、１０５  パッケージ、１０６  封止部、２０１，２０２  開口、３０１，３０２  側面
【図１】
2018169461.tif 000003
【図２】
2018169461.tif 000004
【図３】
2018169461.tif 000005
【図４】
2018169461.tif 000006
【図５】
2018169461.tif 000007
【図６】
2018169461.tif 000008
【図７】
2018169461.tif 000009
【図８】
2018169461.tif 000010
【図９】
2018169461.tif 000011
【図１０】
2018169461.tif 000012
【図１１】
2018169461.tif 000013
【図１２】
2018169461.tif 000014
【図１３】
2018169461.tif 000015
【図１４】
2018169461.tif 000016
【図１５】
2018169461.tif 000017
【図１６】
2018169461.tif 000018
【図１７】
2018169461.tif 000019